(57)【要約】【課題】  筆記面に筆記された図形や文字等の画像読み取りが実行された後、操作者は、背面側に位置したシートに記載された文字等を消去するために、筆記面の画像読取終了後、シート送りキーを押し、背面側に位置しているシートを電子黒板の筆記可能な正面側へと搬送させる必要がある。しかし、操作者は筆記面に記載された文字等を消去するためのシート送り処理を忘れる可能性もある。【解決手段】本実施形態の電子黒板は、筆記面を有するシートと、前記シートを搬送するシート搬送部と、前記シートの筆記面に表記された画像を読み取る読取部と、前記読取部による前記画像読み取り終了後からの時間を計時する計時部と、前記計時部により計時された時間が予め定められた時間を経過した場合、前記シート搬送部を駆動させて前記シートを搬送させる制御部と、を備える。【選択図】図６
2012192525.tif 000002
【特許請求の範囲】
【請求項１】
筆記面を有するシートと、
前記シートを搬送するシート搬送部と、
前記シートの筆記面に表記された画像を読み取る読取部と、
前記読取部による前記画像読み取り終了後からの時間を計時する計時部と、
前記計時部により計時された時間が予め定められた時間を経過した場合、前記シート搬送部を駆動させて前記シートを搬送させる制御部と、
を備えることを特徴とする電子黒板。
【請求項２】
操作者の操作入力を受け付ける入力部と、をさらに備え、
前記制御部は、前記計時部により計時された時間が予め定められた時間を経過した際に前記入力部からの操作入力がない場合、前記シート搬送部を駆動させて前記シートを搬送させることを特徴とする請求項１に記載の電子黒板。
【請求項３】
前記制御部は、前記計時部により計時された時間が予め定められた時間を経過した際に前記入力部からの操作入力がない場合、前記シート搬送部を駆動させて前記シートを予め定められた長さを搬送させることを特徴とする請求項１又は２に記載の電子黒板。
【請求項４】
前記予め定められた長さは、１シートの長さであることを特徴とする請求項３記載の電子黒板。
【請求項５】
音声又は表示により前記操作部が操作されていない旨を報知する報知部と、をさらに備え、
前記制御部は、前記計時部により計時された時間が予め定められた時間を経過する前に、前記報知部にて前記操作部が操作されていない旨を報知させることを特徴とする請求項１乃至４のいずれか一つに記載の電子黒板。
【請求項６】
前記制御部は、前記計時部により計時された時間が予め定められた時間を経過する前に前記入力部からの操作入力があった場合、前記入力部への操作入力に応じて前記シート搬送部を駆動させて前記シートを搬送させ、前記計時部により計時された時間が予め定められた時間を経過した際に、前記シートを予め定められた長さ、搬送させていない場合、前記シート搬送部を駆動させて前記シートを搬送させることを特徴とする電子黒板。
【発明の詳細な説明】
【技術分野】
【０００１】
本発明の実施形態は、筆記面を有するシートを搬送する搬送機構を備えた電子黒板に関する。
【背景技術】
【０００２】
従来の電子黒板は、筆記可能な筆記面を有するシートが、ローラ状にて形成された一対のローラ軸に掛け渡されてエンドレス状態に支持されている。そして、一対の軸のいずれか一方と接続されたシート搬送用のモータが正転又は逆転方向に回転駆動することによって、ローラ軸の一方が回転し、シートは左右方向又は上下方向に搬送される。
【０００３】
ここで、シートの筆記面に筆記された画像や文字等の読み取りは、シートを搬送させるとともに電子黒板に内蔵されている蛍光灯がシートに可視光を照射することにより行われる。
【先行技術文献】
【特許文献】
【０００４】
【特許文献１】特開２００７−２５３３７６号公報
【発明の概要】
【発明が解決しようとする課題】
【０００５】
上記にて、筆記面に筆記された図形や文字等の画像読み取りが実行されると、文字が書かれた筆記面のシートは、電子黒板の背面側に搬送され、背面側に位置することとなる。操作者は、背面側に位置したシートに記載された画像や文字等を消去するために、筆記面の画像読取終了後、シート送りキーを押し、背面側に位置しているシートを電子黒板の筆記可能な正面側へと搬送させる必要がある。
【０００６】
しかしながら、筆記面の画像等の読取終了後、シート送りキーを押すという行為を忘れる可能性もある。かかる場合、筆記面に文字などが記載されたシートが電子黒板の背面側に位置した状態で残ることとなる。したがって、第三者が電子黒板を使用する際に、シート送りキーを押した場合、筆記面には文字等が消去されずに記載された状態のシートが表面側に搬送され、情報が漏洩するおそれがあった。また、読取対象となっている筆記面に対して、例えば、光学スキャナ等で構成される読取部が移動して、筆記面の文字等を読み取りを行う電子黒板等も存在するが、このような電子黒板の場合においても、筆記面に筆記された文字等を消し忘れる可能性があり、かかる場合においても情報が漏洩するおそれがあった。
【課題を解決するための手段】
【０００７】
本発明の実施形態にかかる電子黒板は、筆記面を有するシートと、前記シートを搬送するシート搬送部と、前記シートの筆記面に表記された画像を読み取る読取部と、前記読取部による前記画像読み取り終了後からの時間を計時する計時部と、前記計時部により計時された時間が予め定められた時間を経過した場合、前記シート搬送部を駆動させて前記シートを搬送させる制御部と、を備える。
【図面の簡単な説明】
【０００８】
【図１】本実施形態に係る電子黒板の外観を示す外観斜視図。
【図２】本実施形態に係る電子黒板の操作パネルを示す図。
【図３】本実施形態に係る電子黒板の内部構造示す平面図。
【図４】本実施形態に係る電子黒板の内部構造を示す正面図。
【図５】本実施形態に係る電子黒板の電気的構成を示す図。
【図６】本実施形態に係る電子黒板の制御部が実行する処理を示すフローチャート。
【図７】本実施形態に係る電子黒板に筆記された状態を示す図。
【発明を実施するための形態】
【０００９】
以下、添付図面を参照して、本発明の実施形態に係る電子黒板の一実施形態を詳細に説明する。
【００１０】
図１は、本実施形態に係る電子黒板の外観を示す外観斜視図である。
【００１１】
この電子黒板１は、一対のスタンド２ａ、２ｂによって長方形枠状のフレーム３を支持して構成されている。フレーム３は、例えば、ポリエチレン製の帯状かつ環状のシート４を収納する。このシート４におけるフレーム３の前面側の開口部から外部に露出した部分が、マーカーペン等の筆記具によって文字や図形等が筆記される筆記面４ａとなる。
【００１２】
フレーム３のスタンド２ｂ側下方には、ＣＣＤラインセンサ１５（図３参照）によって読み取られた文字や図形等の画像を印刷媒体に印刷して発行するプリンタ５が設けられている。
【００１３】
フレーム３は、その下縁部に手前側に向けて突出する棚部６を設けている。この棚部６は、マーカーペン等の筆記部や筆記面に筆記された文字等を消去するクリーナ等が置かれる。
【００１４】
また、フレーム３のスタンド２ｂ側縁部には、電子黒板１を操作するための各種キーを有する操作パネル７が設けられている。この操作パネル７は、図２に示すように第１ＬＥＤ表示部７１、印字枚数等を表示する第２ＬＥＤ表示部７２、プラスキー７３、マイナスキー７４、シート送りキー７５及び出力キー７６と、を有する。
【００１５】
第１ＬＥＤ表示部７１は、複数のＬＥＤで構成され、これらのＬＥＤを選択的に点灯させ、電源オン、待機時、用紙切れ時、搬送忘れ等の状態を報知する。第２ＬＥＤ表示部７２は、印字に要する枚数を表示する。プラスキー７３、マイナスキー７４は、例えば、印字濃度の濃淡を調整する場合や第２ＬＥＤ表示部７２に表示される印字枚数を増減させる場合に用いられる。シート送りキー７５は、シート４を例えば図１におけるスタンド２ｂ側からスタンド２ａ側へと送るためのキーである。出力キー７６は、読み取った画像データをプリンタ５に出力指示するためのキーである。なお、操作パネル７は、第１又は第２ＬＥＤ表示部７１、７２を点灯、又は点滅させることにより操作が行われていない旨を報知する報知部としても機能する。
【００１６】
図３は、電子黒板１の内部構造を概略的に示す平面図である。また、図４は電子黒板１の内部構造を概略的に示す正面図である。電子黒板１は、フレーム３内の左右の両端部に、シート４を回転して搬送させる一対のローラ１０ａ、１０ｂを有する。ローラ１０ａ、１０ｂは、フレーム3の左右側縁と略平行な軸心を有し、ローラ１０ａ、１０ｂ間には帯状のシートが環状にて掛け渡されている。ここで、フレーム３の前面側の開口部から外部に露出したシート４の長さＬが1シート分の長さに相当する。具体的には、ローラ１０ａの位置からローラ１０ｂの位置までの距離が1シート分の長さに相当する。また、ローラ１０ａ、１０ｂのうちいずれか一方には、ベルト伝達機構（図示せず）を介してシート送り用の搬送モータ２５（図５参照）が連結されている。搬送モータ２５の駆動により、ローラ１０ａ、１０ｂが回転し、シートが左右方向に回転搬送される。
【００１７】
シート４の筆記面の背面にはシート４の筆記面に対して操作者による筆記を可能とするためのボード１１が設けられている。
【００１８】
さらには、ボード１１を挟んだ筆記面の反対側には、シート４の搬送方向に略直交する方向に蛍光灯１２、ミラー１３、レンズ１４、ＣＣＤラインセンサ１５と、が設けられている。シート４に筆記された文字や図形等の画像を読み取る際は、蛍光灯１２がシート４に可視光を照射して、シート４からの反射光がミラー１３を介してレンズに送られ、ＣＣＤラインセンサ１５の受光面に集光される。このときＣＣＤラインセンサ１５から、受光面によって受光された可視光によってミラー１３の長尺方向に沿う１ライン分の電気信号が出力される。これらの蛍光灯１２、ミラー１３、レンズ１４、ＣＣＤラインセンサ１５等にて読取部を構成する。
【００１９】
図５は、電子黒板１の電気的構成を示すブロック図である。本実施形態の電子黒板１は、制御部であるＣＰＵ２０、ＲＯＭ（Read Only Memory）２１、ＲＡＭ（Random Access Memory）２２、蛍光灯点灯回路２３、画像処理部２４、搬送モータ２５、電源ユニット２６、タイマ（計時部）２７、音声出力部２８、プリンタ５、前記操作パネル７、前記電源スイッチ８、蛍光灯１２、および前記ＣＣＤラインセンサ１５を主として構成される。
【００２０】
ＲＯＭ２１は、電子黒板１の動作プログラムや各種デフォルト設定値等の固定的データを記憶する。ＲＡＭ２２は、電子黒板１の処理場面に応じて各種の処理用記憶領域を形成する。
【００２１】
蛍光灯点灯回路２３は、シート４に筆記された文字等を読み取る際に蛍光灯１２に通電し、蛍光灯１２を点灯させる。上記の通り、蛍光灯１２が点灯するとシート４からの反射光がレンズ１４等を介してＣＣＤラインセンサ１５に集光され、ＣＣＤラインセンサ１５が受光した可視光に応じた電気信号を出力する。
【００２２】
画像処理部２４は、ＣＣＤラインセンサ１５から出力されるライン毎の電気信号をＡ／Ｄ変換してデジタルデータを生成し、このデジタルデータを複数ライン分組み合わせて１つの画像データを生成する。
【００２３】
電源ユニット２６は、電源スイッチ８が電源オンの状態に切り替えられたことに応じて商用交流電源等の外部電源から動作電力を取り込み、当該制御回路を構成する各部に供給する。
【００２４】
タイマ２７は、制御部２０からの計時開始の制御信号を受けて計時を開始する。
【００２５】
なお、電子黒板１はＵＳＢメモリを接続可能とするＵＳＢポート（図示せず）を備えていてもよい。
【００２６】
制御部２０は、上記した各部の基本的な動作を制御する。例えば、制御部２０は、シート搬送部である搬送モータ２５を駆動させるよう制御する。また計時部であるタイマ２７を動作させ計時を開始させる。報知部２８に報知させるように制御する。なお、制御部２０が行う処理は、図６のフローチャートにて詳細に説明を行う。
【００２７】
プリンタ５は、例えば、ライン状に配列された発熱素子を有するサーマルヘッドを備えたサーマルプリンタで構成される。なお、プリンタ５はサーマルプリンタに限られることはなく、例えば、インクジェットプリンタ等であってもよい。
【００２８】
次に、図６のフローチャートを用いて電子黒板１の制御部２０が実行する処理について説明する。なお、このフローチャートでは、電子黒板１のシート４の筆記面４ａに所定の文字列「ＡＢＣ」が書かれた状態であること（図７参照）を前提として説明を行う。
【００２９】
まず、制御部２０は電源スイッチがオンされると、電源ユニット２６から電力の供給を受けて、プリンタ５や画像処理部２４等の各部の初期化や異常診断などを行う。次に、制御部２０は、出力キー７５が操作者により押下（入力）されることを待機する（Ａｃｔ６０１）。制御部２０は、出力キー７５が操作者の操作により押下されたことを検出すると（Ａｃｔ６０１のＹｅｓ）、シート搬送部であるシート送り用の搬送モータ２５を駆動させる。これにより、ローラ１０ａ、１０ｂが回転し、シート４が搬送方向Ｆ（図７参照）に搬送される（Ａｃｔ６０２）。そして、読取部にて、筆記面４ａに筆記された画像である文字「ＡＢＣ」を読み取り、画像データとして取り込む（Ａｃｔ６０４）。
【００３０】
筆記面４ａの画像の読み取りが終了すると、制御部２０は、タイマを作動させて時間の計時を開始する（Ａｃｔ６０５）。
【００３１】
ここで、筆記面４ａに筆記された文字「ＡＢＣ」を、画像データとして取り込むと、文字「ＡＢＣ」が記載された筆記面４ａは、フレーム３の前面側の開口部から外部に露出した部分から、電子黒板１の背面側（電子黒板１の内部に当たる位置）に搬送されることとなる（図３参照）。この場合、文字「ＡＢＣ」が記載された筆記面４ａは、電子黒板１の装置内に位置することとなるため、操作者からは、視認ができない位置に位置する。
【００３２】
制御部２０は、シート送りキー７５が操作者の操作により押下（入力）されることを待機する（Ａｃｔ６０６）。シート送りキー７５が押下されたことが検出できず（Ａｃｔ６０６のＮｏ）、所定時間ｔ１秒が経過した場合（Ａｔ６１２のＹｅｓ）、制御部２０は、操作パネル７に備え付けられている第１、第２ＬＥＤ表示部７１、７２を点滅、発光させる等してシート送りキー７５が、一定の時間（ｔ１秒）押されていないことを報知する（Ａｃｔ６１３）。なお、その他の報知方法として音声を出力することで一定の時間シート送りキー７５が押されていない旨を報知するように構成してもよい。これにより、操作者は、シート送りキー７５を押下する必要があることに気付くことが出来る。シート送りキー７５が押下されることで、電子黒板１の装置内に位置する文字「ＡＢＣ」が書かれた筆記面４ａは、再びフレーム３の前面側の開口部から外部に露出した部分へと搬送される。
【００３３】
シート送りキー７５が押下されたことが検出されず（Ａｃｔ６０６のＮｏ）、所定時間ｔ１秒が経過していない場合は（Ａｃｔ６１２のＮｏ）、制御部２０は、Ａｃｔ６０６に戻り、シート送りキー７５が押下されることを待機する。
【００３４】
Ａｃｔ６１３の報知処理の後、制御部２０は、タイマ２７により計時された時間ｔが予め定められた時間である時間ｔ２秒を経過したか否かを判断する（Ａｃｔ６１４）。タイマ２７により計時された時間ｔが、時間ｔ２秒を経過していない場合、Ａｃｔ６０６の処理に戻り、再びシート送りキー７５が押下されることを待機し、シート送りキー７５が押下されない場合は、ＬＥＤ表示部７１の表示や音声による報知を継続する（Ａｃｔ６１３）。
【００３５】
タイマ２７により計時された時間ｔが、時間ｔ２秒を経過した場合、制御部２０はシート搬送部であるシート送り用の搬送モータ２５を駆動させることにより、ローラ１０ａ、１０ｂが回転し、シート４を１シート分の長さＬだけ搬送させる（Ａｃｔ６１５）。すなわち、時間ｔ２秒が経過した時点で、シート送りキー７５が押されたことを検出しなかった場合、制御部２０は強制的にシート４の搬送を行うことで、電子黒板１の背面側に位置する文字「ＡＢＣ」が書かれた筆記面４ａが、強制的に再びフレーム３の前面側の開口部から外部に露出した部分へと搬送されることとなる。
【００３６】
ここで、上記した時間ｔ１、ｔ２について述べると、時間ｔ１は時間ｔ１秒までにシート送りキー７５が押されなかった場合は第１、第２ＬＥＤ表示部７１、７２を点灯させることで、キー操作がされていない旨を報知するための時間として設定されている。また、時間ｔ２は、時間ｔ２秒までにシート送りキー７５が押されなかった場合はシート４のシート送りが開始されるように設定されている。時間ｔ１、ｔ２との関係はｔ１のほうがｔ２秒よりも短い時間で設定されている。
【００３７】
次に、所定時間ｔ２が経過する前に、シート送りキー７５が操作入力された場合（Ａｃｔ６０６のＹｅｓ）の処理について説明する。制御部２０は、シート搬送部を駆動させてシート４の搬送を行う（Ａｃｔ６０７）。なお、シート送りキー７５は、当該シート送りキー７５を押した時間の長さ分だけシート搬送がされる構成となっているため、シート送りキー７５を単に押しただけでは１シート分の長さＬだけシート搬送することが出来るとは限らない。
【００３８】
このため、制御部２０は、１シート分の長さ（長さＬ）が搬送されたか否かを判断する（Ａｃｔ６０８）。所定時間ｔ２が経過するまでは（Ａｃｔ６０９のＮｏ）、１シート分の長さのシート搬送がされているか否かを判断する（Ａｔ６０８）。１シート分の長さＬが搬送されていないまま（Ａｃｔ６０８のＮｏ）、所定時間ｔ２が経過した場合（Ａｃｔ６０９のＹｅｓ）、制御部は、１シート分の長さＬと、筆記面４ａの文字読取終了後からシート送りされた長さとの差分を算出し（Ａｃｔ６１０）、算出されたシート長さ分だけシート搬送部を駆動させてシート４の搬送をさせる（Ａｃｔ６１１）。すなわち、Ａｃｔ６１０の時点においては、１シート分の長さが搬送されていないため、文字「ＡＢＣ」が書かれた筆記面の一部は電子黒板１内の内部に隠れている。Ａｃｔ６１１にてＡｃｔ６１０で算出されたシート長さ分が強制的に搬送されることで、電子黒板１の装置内に隠れている部分のシート４を前面側に搬送させる。
【００３９】
以上、本実施形態の電子黒板は、計時部であるタイマ２７により計時された時間が予め定められた時間を経過した場合、シート搬送部である搬送モータを駆動させてシートを強制的に搬送方向Ｆに向けて搬送させる。このため、シート４の筆記面４ａに書かれた画像を取り込んだ後（文字が筆記された筆記面４ａが電子黒板の内面側に位置した状態）、操作者がシート送りキー７５を押し忘れた場合であっても、予め定められた時間が経過すると、シートはフレーム３の前面側の開口部から外部に露出した部分へと強制的に搬送されることとなり、操作者は筆記面に記載された文字等を消し忘れることがない。
【００４０】
また、上記の場合にシートが搬送される距離は、電子黒板の表面に露出されている筆記面の長さ、すなわち１シート分の長さである。従って、文字や図形等が書かれている筆記面の一部が電子黒板の装置内に隠れたままの状態で維持されるといった事態がなくなる。
【００４１】
また、本実施形態の電子黒板は、予め定められた時間が経過する前に、制御部が報知部を動作させて、操作パネルのキー操作がされていない旨を報知する。この報知処理により、操作者に対してシート送りキーが押されていないことを知らせることができ、キー操作を行うように促すことができる。
【００４２】
また、本実施形態の電子黒板は、予め定められた時間が経過する前にシート送りキーが押された場合であっても、シートが少なくとも１シートの長さに相当する距離が搬送されていない場合、シート搬送部を駆動させてシートの搬送を行う。このため、操作者が一度、シート送りキー７５を押し、１シート分の長さを搬送させていない場合であっても、予め定められた時間が経過すると、シートはフレーム３の前面側の開口部から外部に露出した部分へと強制的に搬送されることとなり、操作者は筆記面に記載された文字等が消されていないことを確認することができ、消し忘れが起きることがない。
【００４３】
なお、シートの搬送は１シート分の長さに限られることは無く、例えば１シート分の半分の長さについて搬送させた場合であっても良い。係る場合、本実施形態の電子黒板のシートは帯状かつ環状に構成されているため、現在外部に露出している筆記面に続くシートが外部に露出されることとなり、この新たに外部に露出されたシートが余白を有していた場合は、筆記可能な筆記面を確保することができることとなる。
【００４４】
以上、本発明の実施の形態について説明したが、本発明はこれに限定されるものではなく、本発明の主旨を逸脱しない範囲での種々の変更、置換、追加等が可能である。
【００４５】
例えば、シートの筆記面に筆記された文字等の画像の読み取りを行う読取部が、光学スキャナ等から構成されるものであってもよい。この場合、読取部は図示しないパルスモータ等に接続され、シートの筆記面に対面した状態で、読取部自体がシートの左右方向に移動して筆記面に記載された文字等の画像の読み取りを行う。つまり、係る構成を備えた電子黒板において図６記載のフローチャートのＡｃｔ６０４における筆記面の画像の取り込み処理は、読取部自体が筆記面に対して移動することによって行われる。このような構成を有する電子黒板に対しても本実施形態は適用可能である。
【００４６】
上記の構成を有する電子黒板の場合、筆記面のシートが所定時間経過した後に、キー操作がなされていない旨が報知されるので操作者に消し忘れを報知することができる。また、報知後、シートが強制的に搬送されることで、操作者はシートに対して注意が促され、シートの筆記面の状態（すなわち、シート面の消し忘れがある状態）を認知することができる。なお、この場合、図６のＡｃｔ６１５にてシート搬送を行う長さは１シート分の長さではなく、少なくとも２シート分の長さを必要とする点に留意する。１シート分の長さのみを搬送した場合は、筆記された面が電子黒板の背面側に位置することとなるおそれがあるためである。
【００４７】
また、電子黒板のシートは帯状かつ環状に構成されているため、シートの一部が搬送される場合は、現在外部に露出している筆記面に続くシートが外部に露出されることとなり、筆記可能なシートの筆記面を確保することができる。
【符号の説明】
【００４８】
１  電子黒板
２  スタンド
３  フレーム
４  シート
５  プリンタ
７  操作パネル
１０ａ、１０ｂ  ローラ
２０  制御部
２５  搬送モータ
２７  タイマ（計時部）
【図１】
2012192525.tif 000003
【図２】
2012192525.tif 000004
【図３】
2012192525.tif 000005
【図４】
2012192525.tif 000006
【図５】
2012192525.tif 000007
【図６】
2012192525.tif 000008
【図７】
2012192525.tif 000009